(57)【要約】      （修正有）【課題】カードコレクションとして楽しめ、香りを楽しみたい時にのみ楽しめる芳香剤と開封、未開封に関係なく袋入り芳香剤や中身を保護し、プラスチックケースから取り出さなくても香りが楽しめるプラスチックケース収容芳香剤を提供する。【解決手段】紙製、木製又は樹脂製の芳香カードを透明袋に入れ、芳香カードの裏面と透明袋の内面の間にシートを挿入し、且つ透明袋に香りの通気穴を設け、通気穴をフィルムシールで塞いであることを特徴とする。フィルムシールは再剥離・再貼付可能にする。通気穴や通気穴の外周をフィルムシールの粘着層の部分で塞ぎ、空気の抜け道が無い場合は、フィルムシールに孔を空ける。芳香剤を、フィルムシールに当たる部分にフィルムシールが剥せる程度の大きさの窓を設けたプラスチックケースに収容する。【選択図】図１
0003153116.tif 000002
【実用新案登録請求の範囲】
【請求項１】
紙製、木製又は樹脂製の芳香カードを透明袋に入れた芳香剤において、芳香カードの裏面と透明袋の内面の間には、シートが挿入されており、且つ透明袋に香りの通気穴を設け、該通気穴をフィルムシールで塞いであることを特徴とする芳香剤。
【請求項２】
請求項１に記載のものであって、フィルムシールは、再剥離・再貼付可能であることを特徴とする芳香剤。
【請求項３】
請求項１乃至請求項２に記載のものであって、フィルムシールは、透明袋に接する面の全面が粘着層であり、且つ透明袋の膨張防止の為の孔を有することを特徴とする芳香剤。
【請求項４】
請求項１乃至請求項２に記載のものであって、フィルムシールは、透明袋に接する面には通気穴の外周を囲んだ粘着層帯があり、且つ透明袋の膨張防止の為の孔があることを特徴とする芳香剤。
【請求項５】
請求項１乃至請求項２に記載のものであって、フィルムシールは、透明袋に接する面は、粘着層部分と通気穴から空気の抜け道を確保した非粘着層部分からなることを特徴とする芳香剤。
【請求項６】
請求項１乃至請求項５に記載のものであって、芳香剤を、フィルムシールに当たる部分にフィルムシールが剥せる程度の大きさの窓を設けたプラスチックケースに更に収容したことを特徴とする芳香剤。
【考案の詳細な説明】
【技術分野】
【０００１】
本考案は、芳香剤に関するものである。
【背景技術】
【０００２】
従来の芳香剤は、袋から中身である芳香シートを取り出し、吊るしたり、額に収めてインテリアアートとして使用されていた。
【特許文献１】実願２００７−５３６１号
【考案の開示】
【考案が解決しようとする課題】
【０００３】
従来の技術では、中身を取り出して壁に付けて使用すると、香料により壁面が変色する問題が生じていた。
【０００４】
また、芳香剤をカードのコレクションとして集める場合、通常は封を切らずに壁一面に飾るか、カードをまとめて収納しておく為、香りを楽しみたい時のみ楽しむ工夫がされているものは無かった。
【０００５】
一方で、芳香カードを入れた袋を完全密閉してしまうと空気が膨張して、袋自体が脹らんでしまう問題が生じていた。
【０００６】
更に、開封、未開封に関係なく袋入り芳香剤や中身を保護し、プラスチックケースから取り出さなくても香りが楽しめ、壁に掛けておけるプラスチックケースが望まれていた。
【０００７】
そこで、本考案は、上記の問題点に斯かる実情に鑑みなされたもので、通常は、カードコレクションとして楽しめ、香りを楽しみたい時にのみ楽しめる芳香剤と開封、未開封に関係なく袋入り芳香剤や中身を保護し、カバーケースから取り出さなくても香りが楽しめるカバーケース収容芳香剤を提供することを課題とする。
【課題を解決するための手段】
【０００８】
請求項１に記載の考案は、紙製、木製又は樹脂製の芳香カードを透明袋に入れた芳香剤において、芳香カードの裏面と透明袋の内面の間には、シートが挿入されており、且つ透明袋に香りの通気穴を設け、該通気穴をフィルムシールで塞いであることを特徴とする。
【０００９】
請求項２に記載の考案は、フィルムシールは、再剥離・再貼付可能であることを特徴とする。
【００１０】
請求項３に記載の考案は、フィルムシールは、透明袋に接する面の全面が粘着層であり、且つ透明袋の膨張防止の為の孔を有することを特徴とする。
【００１１】
請求項４に記載の考案は、フィルムシールは、透明袋に接する面には通気穴の外周を囲んだ粘着層帯があり、且つ透明袋の膨張防止の為の孔があることを特徴とする。
【００１２】
請求項５に記載の考案は、フィルムシールは、透明袋に接する面は、粘着層部分と通気穴から空気の抜け道を確保した非粘着層部分からなることを特徴とする。
【００１３】
請求項６に記載の考案は、芳香剤を、フィルムシールに当たる部分にフィルムシールが剥せる程度の大きさの窓を設けたプラスチックケースに更に収容したことを特徴とする。
【考案の効果】
【００１４】
本考案によれば、中身を出さずとも壁面に飾ることが出来るので、壁面が香料で変色しない。
【００１５】
そして、香りを楽しみたい時にのみ香りを楽しみ、通常はコレクションとして数枚を飾ったり、まとめて収納したりすることができる。
【００１６】
更に、通気穴や通気穴の外周をフィルムシールの粘着層の部分で塞いだ場合、フィルムシールにピンホール程度の孔を設けることで、透明袋の膨張を防ぐことが出来る。
【００１７】
また、フィルムシールにピンホール程度の孔を設けなくても、透明袋の膨張を防ぐことが出来る。
【００１８】
最後に、該プラスチックケースに収容した状態でもフィルムシールが剥せ、また開封や未開封に関係なく袋入り芳香剤や中身を保護できる。
【考案を実施するための最良の形態】
【００１９】
紙製、木製又は樹脂製の芳香カードを透明袋に入れた芳香剤において、芳香カードの裏面と透明袋の内面の間にシートを挿入し、且つ透明袋に香りの通気穴を設け、該通気穴をフィルムシールで塞ぐ。
また、該通気穴を塞ぐフィルムシールは再剥離・再貼付可能にしても良い。
更に、フィルムシールによる通気穴の塞ぎ方において、通気穴や通気穴の外周をフィルムシールの粘着層の部分で塞ぎ、通気穴からの空気の抜け道が無い場合は、密閉による膨張を避ける為、フィルムシールに孔を空けておく。
また、該プラスチックケースに収容した状態でもフィルムシールが剥せるよう、フィルムシールに重なるよう該プラスチックケースにも窓を設けておく。
【実施例１】
【００２０】
以下、図面を参照して本考案に係る芳香剤の一実施例を説明する。
図１は、本考案に係る芳香剤の仕様の構成を示す図であり、図２は、本考案の芳香剤の断面図であり、フィルムシール付近のものである。
【００２１】
本実施例は、片面に図柄が印刷されたフレグランス成分を含んだ紙製の芳香カード１を透明袋２に入れ、壁面側に向けられると考えられる芳香カード１の裏面と透明袋２の内面の間にシート３を挿入する。そして、透明袋２に香りの通気穴４を設け、該通気穴４をフィルムシール６で塞いである芳香剤１１である。
【００２２】
まず、芳香カード１は、長方形であるが、カード形状は、特に限定するものではなく、円形、多角形の他、具象形であっても構わない。また、樹脂製の芳香カードであれば、無色透明、有色透明のカードにすることも可能である。
【００２３】
そして、透明袋２は、密閉した状態で中の香りが漏れにくい素材が望ましい。例えば、ＯＰＰ-ＰＥＴフィルム等が考えられる。
【００２４】
更に、芳香カード１裏面と透明袋２内面の間のシート３は、例えばＰＰ（ポリプロピレン）素材のシートを使用することで、壁面に接する透明袋の僅かな香り漏れを更に減少し、壁面の変色等の防止が可能となる。
【００２５】
次に、透明袋２に設けた通気穴４の位置と大きさ及び数については、本実施例では、表面右下付近に小さく一箇所設けているが、芳香カード１の表面に印刷したの図柄が見えにくくならず、フィルムシール６を剥した時にあまり鼻を近づけなくても香る程度であれば、特に限定しない。
【００２６】
また、フィルムシール６については、透明袋２に設けた通気穴４を完全に覆う大きさであれば良く、その形状や色等も特に限定するものではない。
【００２７】
なお、透明袋２に接する面に当たるフィルムシール６裏面の粘着層８の部分を示したものが、図３乃至図９である。斜線部分が粘着層８の部分であり、その他の部分は非粘着層１０である。
【００２８】
ここで、図３乃至図８の様に通気穴４や通気穴４の外周をフィルムシール６の粘着層の部分で塞いだ場合、空気の抜け道が無くなり、完全密封に近い状態で袋自体が膨張してしまうため、通気穴上空のフィルムシールに当たる面にピンホール程度の孔５を設けることで、膨張を押さえることが可能である。
【００２９】
また、図９は、透明袋に接する面は、粘着層部分と通気穴から空気の抜け道を確保した非粘着層部分からなり、例えば、通気穴４の外周を囲まず、且つ通気穴４を塞がない２本以上の粘着層帯を設ければ、通気穴からの空気の抜け道が確保されるので、孔を設けなくとも袋の膨張を抑えることが可能である。
【００３０】
ちなみに、本実施例では剥しやすいように、フィルムシールの一部に把持部を設けて、その部分は、非粘着層にしているが、把持部を設けない場合又はその他の部分からも剥せるようにする場合、フィルムシールの外周端部に非粘着層部分を残しても構わない。
【００３１】
次に、図１０は、未開封の芳香剤を本考案のプラスチックケース７に収容した図であり、図１１は、本考案のプラスチックケース７のみの図である。
【００３２】
このように、プラスチックケース７に未開封の芳香剤を収納した場合、フィルムシールに当たる部分にフィルムシールが剥せる程度の大きさの窓９をプラスチックケース７に作っておけば、その窓９よりフィルムシール６をめくって香りを楽しむことが出来る。
【００３３】
また、開封して透明袋２を捨ててしまった場合でも、プラスチックケース７に収容すれば、壁面が変色することなく壁に掛けておくことが出来る。
【００３４】
なお、窓の形状は、実施例のように円形に限定するものではなく、多角形の他、具象形であっても構わない。
【００３５】
その他必要に応じて、芳香剤の封を切りやすく透明袋の部分に切れ目を入れたり、壁に付け易いように引っ掛け様の穴を設けても良い。
【００３６】
以上説明したように、好ましい実施例を挙げて本考案を説明したが、本考案はその実施例に限定されるものではなく、本考案の要旨の範囲内で種々に改変できる。
【図面の簡単な説明】
【００３７】
【図１】本考案に係る芳香剤の平面図である。
【図２】本考案に係る芳香剤のフィルムシール付近の断面図である。
【図３】フィルムシール裏面の粘着層の部分を示した図である。
【図４】フィルムシール裏面の粘着層の部分を示した図である。
【図５】フィルムシール裏面の粘着層の部分を示した図である。
【図６】フィルムシール裏面の粘着層の部分を示した図である。
【図７】フィルムシール裏面の粘着層の部分を示した図である。
【図８】フィルムシール裏面の粘着層の部分を示した図である。
【図９】フィルムシール裏面の粘着層の部分を示した図である。
【図１０】本考案に係る芳香剤を更にプラスチックケースに収容した図である。
【図１１】本考案のプラスチックケースのみの図である。
【符号の説明】
【００３８】
１  芳香カード
２  透明袋
３  シート
４  通気穴
５  孔
６  フィルムシール
７  プラスチックケース
８  粘着層
９  窓
１０  非粘着層
１１  芳香剤
【図１】
0003153116.tif 000003
【図２】
0003153116.tif 000004
【図３】
0003153116.tif 000005
【図４】
0003153116.tif 000006
【図５】
0003153116.tif 000007
【図６】
0003153116.tif 000008
【図７】
0003153116.tif 000009
【図８】
0003153116.tif 000010
【図９】
0003153116.tif 000011
【図１０】
0003153116.tif 000012
【図１１】
0003153116.tif 000013
【手続補正書】
【提出日】平成21年4月30日(2009.4.30)
【手続補正１】
【補正対象書類名】実用新案登録請求の範囲
【補正対象項目名】全文
【補正方法】変更
【補正の内容】
【実用新案登録請求の範囲】
【請求項１】
紙製、木製又は樹脂製の芳香カードを透明袋に入れた芳香剤において、芳香カードの裏面と透明袋の内面の間には、シートが挿入されており、且つ透明袋に香りの通気穴を設け、該通気穴をフィルムシールで塞いであることを特徴とする芳香剤。
【請求項２】
請求項１に記載の芳香剤であって、フィルムシールは、再剥離・再貼付可能であることを特徴とする芳香剤。
【請求項３】
請求項１または請求項２に記載の芳香剤であって、フィルムシールは、透明袋に接する面の全面が粘着層であり、且つ透明袋の膨張防止の為の孔を有することを特徴とする芳香剤。
【請求項４】
請求項１または請求項２に記載の芳香剤であって、フィルムシールは、透明袋に接する面には通気穴の外周を囲んだ粘着層帯があり、且つ透明袋の膨張防止の為の孔があることを特徴とする芳香剤。
【請求項５】
請求項１または請求項２に記載の芳香剤であって、フィルムシールは、透明袋に接する面は、粘着層部分と通気穴から空気の抜け道を確保した非粘着層部分からなることを特徴とする芳香剤。
【請求項６】
請求項１乃至請求項５のいずれか1項に記載の芳香剤を、フィルムシールに当たる部分にフィルムシールが剥せる程度の大きさの窓を設けたプラスチックケースに更に収容したことを特徴とする芳香剤。